(57)【要約】【課題】歩いたりスイングをしたりしたときでも、ゴルフボールが邪魔にならない状態で携帯することができ、しかも、激しく動いたりぶつかったりしてもゴルフボールが零れだすおそれのない確実な収納を可能とするゴルフボール携帯用具の提供を目的としている。【解決手段】可撓性材料からなる有底筒状のボール収納部と、該ボール収納部の上端開口部を開閉可能に閉塞してなる蓋部と、ボール収納部の上端開口部の周縁若しくはその近傍に配設した吊持部を備えてなり、ボール収納部は複数のゴルフボールを上下に一列状に収納可能に構成したことを特徴とする構成とした。【選択図】      図１
2005103119.tif 000002
【特許請求の範囲】
【請求項１】
可撓性材料からなる有底筒状のボール収納部と、該ボール収納部の上端開口部を開閉可能に閉塞してなる蓋部と、ボール収納部の上端開口部の周縁若しくはその近傍に配設した吊持部を備えてなり、ボール収納部は複数のゴルフボールを上下に一列状に収納可能に構成したことを特徴とするゴルフボール携帯用具。
【請求項２】
可撓性材料からなる有底筒状のボール収納部を、ニットや生地若しくはネットで形成し、その筒径をゴルフボールの径より小径にしたことを特徴とする請求項１に記載のゴルフボール携帯用具。
【発明の詳細な説明】
【技術分野】
【０００１】
本発明は、ゴルフ場で遊戯を行う際、スペアのゴルフボールを携帯する為のゴルフボール携帯用具に関する。
【背景技術】
【０００２】
ゴルフ場でゴルフ遊戯を行うときは、打ったボールがＯＢとなった場合や紛失した場合など、新しいボールで再度打ち直しを行う必要が生じる場合があるため、ゴルファーは、通常、スペアのボールを数個携帯している。
【０００３】
スペアのゴルフボールを携帯するときは、ポケットに入れる場合が一般的であるが、ポケットにスペアボールを入れておくと、ポケットが膨らんだ状態となり、スイングを行う際の邪魔となったり、歩く際に違和感を感じたりする等の問題が生じる。
【０００４】
そこで、図３や図４に示したように、スペアとなるゴルフボールを邪魔にならないように携帯することができるスペアボール収容バッグ１０Ｂ（特許文献１参照）や携帯用ゴルフボール入れ１０Ａ（特許文献２参照）などが提案されている。
【０００５】
【特許文献１】実開平３−１０７９７１号公報
【特許文献２】特開平８−８９５９９号公報
【発明の開示】
【発明が解決しようとする課題】
【０００６】
しかし、実開平３−１０７９７１号公報に記載されたスペアボール収容バッグ１０Ｂは、内部中空の袋体で構成されているため、複数のゴルフボールを収容したとき、ゴルフボールＢが袋の底部に集まり、図４（ｂ）に示したように、袋の底部分だけが膨らんだ状態となり、ズボンのポケットにゴルフボールを入れたときと同様にごろごろして嵩張ってしまうという問題がある。
【０００７】
一方、特開平８−８９５９９号公報に記載された携帯用ゴルフボール入れ１０Ａは、ゴルフボールＢを一列状に収容することができるため、嵩張るという問題が生じることはないが、コイルバネの内部にゴルフボールＢを収納させるという構造上、安定性に欠けるという問題がある。
すなわち、コイルバネの内部にゴルフボールＢを容易に収納させるためには、コイルバネの隣接する螺旋バネ杆の間隔をゴルフボール大に押し広げることを容易に行うことができるだけの柔らかさがコイルバネに備わっている必要がある。
【０００８】
しかし、上記携帯用ゴルフボール入れは、コイルバネが柔らかすぎると、確実にゴルフボールＢを保持することができず、腰などに着用している際に激しく動いたり、何かにぶつかったりしたとき、ゴルフボールＢがコイルバネ内部からこぼれ落ちてしまうおそれが生じる。
【０００９】
そこで、本発明は、上記事情に鑑みて、歩いたりスイングをしたりしたときでも、ゴルフボールが邪魔にならない状態で携帯することができ、しかも、激しく動いたりぶつかったりしてもゴルフボールが零れだすおそれのない確実な収納を可能とするゴルフボール携帯用具を提供することを目的としている。
【課題を解決するための手段】
【００１０】
上記目的を達成するために、本発明の請求項１の記載にかかるゴルフボール携帯用具（以下、「請求項１のゴルフボール携帯用具」と記す。）は、可撓性材料からなる有底筒状のボール収納部と、該ボール収納部の上端開口部を開閉可能に閉塞してなる蓋部と、ボール収納部の上端開口部の周縁若しくはその近傍に配設した吊持部を備えてなり、ボール収納部は複数のゴルフボールを上下に一列状に収納可能に構成したことを特徴とする構成とした。
【００１１】
また、本発明の請求項２の記載にかかるゴルフボール携帯用具（以下、「請求項２のゴルフボール携帯用具」と記す。）は、請求項１のゴルフボール携帯用具の構成に加えて、可撓性材料からなる有底筒状のボール収納部を、ニットや生地若しくはネットで形成し、その筒径をゴルフボールの径より小径にしたことを特徴とする構成とした。
【００１２】
上記構成において、可撓性材料としては、特に限定されないが、天然繊維や合成繊維で形成された編布や樹脂シート、ネットなどが挙げられる。
また、ボール収納部は、ゴルフボールを一列状に複数個収納できるのであればよく、収納できるゴルフボールの数は特に限定されない。
【００１３】
また、ゴルフボール携帯用具は、特に限定されないが、たとえば、蓋部を動物や人形等の頭部の形態とし、当該蓋部とボール収納部とで愛玩動物若しくはキャラクターの形態を模してなるようにするなど外観に特徴をもたせるようにすると、アクセサリーとして使用することができるため好ましい。
このとき、キャラクターデザインの種類としては、特に限定されない。
【００１４】
また、開口部は、上端開口部一箇所だけに設けられていてもよいが、当該個所以外の二箇所以上に設けられるようにしてもよい。このとき、開口部は、衝撃などによりゴルフボールが開口部から飛び出すことを防ぐため、開口部を閉塞する蓋や閉塞用の紐などを設けるようにすることが好ましい。
【００１５】
また、吊持部は、ゴルフバッグ、ズボン、シャツなどの被吊持部分に吊持可能となっていれば、紐状をしていても、ピン状をしていても、その他の形状をしていても良く、特に限定されないが、たとえば、基端部がボール収納部に取り付けられ、先端側部分の開口部が開閉可能なフックで吊持具を形成するようにすると、より用意に吊持させることが可能となるため好ましい。
【発明の効果】
【００１６】
本発明にかかる請求項１のゴルフボール携帯用具は、ゴルフボールが一列状に収納されているため、ゴルフ遊戯を行う際に歩いたりスイングしたりしてもゴルフボールが邪魔にならないように携帯することができ、しかも、ゴルフボールが袋体内に収納されているため、激しく動いたり、ぶつかったりしても収納しているゴルフボールが容器外に飛び出すことがない。
【００１７】
また、本発明にかかる請求項２のゴルフボール携帯用具は、請求項１のゴルフボール携帯用具の効果に加えて、ボール収納部がニットや生地若しくはネットなどの収縮性能を有する材質で形成されているとともに、その筒径がゴルフボールの径より小径であるため、ボール収納部に収納させたゴルフボールが、ニットや生地若しくはネットなどの収縮力により保持されることで、より確りとゴルフボールを収納することができ、ゴルフボールがボール収納部内において、上下左右方向に動くことを防止することができる。
【発明を実施するための最良の形態】
【００１８】
以下に、本発明を、その実施の形態をあらわす図面を参照しつつ詳しく説明する。
図１は、本発明にかかるゴルフボール携帯用具の１実施形態を使用している状態を示した図である。
図１に示したように、ゴルフボール携帯用具１は、熊のキャラクターの胴体部分の形態を模してなる有底袋状のボール収納体２と、熊のキャラクターの頭部を模してなる蓋体３と、吊持体４とを備えており、熊のキャラクターの形態を模した作りとなっている。
【００１９】
ボール収納体２は、図１および図２に示したように、ゴルフボールＢが一列状に３つ収納されるボール収納部２１と、このボール収納部２１内へ１個ずつゴルフボールＢを出し入れする開口部２２とを備えた有底筒状をしており、図１および図２に示したように、後述する吊持体４によりゴルフボール携帯用具１をズボンのベルト通し穴に取り付けたとき、開口部２２が上部に配置されるようになっている。
また、ボール収納体２は、図示していないが、ゴム編みなどの伸縮自在な織り方で織られた編布で形成されており、ボール収納部２１に収納させたゴルフボールを周囲からホールドして、ゴルフボールがボール収納部２１内で不規則に動くことを防止するようになっている。
【００２０】
蓋体３は、図１および図２に示したように、開口部２２を開閉可能に閉塞するようになっている。
吊持体４は、図１および図２に示したように、基端部がボール収納体２に取付けられ、先端側部分の開口部が開閉可能なフックで形成されており、ズボンのベルト通しに係止させることで、ゴルフボール携帯用具１がズボンのベルト通し穴に取り付けられるようになっている。なお、吊持体４の先端側部分の開口部のフックは、バネの付勢力により、閉塞した状態にあり、通常はリング状をしており、どこかに取り付ける際に、バネの付勢力よりも強い力で開口部を開放させるようになっている。
【００２１】
次に、ゴルフボール携帯用具１の使用例を説明する。
まず、ゴルフボール携帯用具１の蓋体３を開放させて、開口部２２が開口された状態にする。
次に、ゴルフボールを開口部２２からボール収納部２１内に３つ入れた後、蓋体３で開口部２２を閉じる。
【００２２】
次に、図１および図２に示したように、吊持体４のフック体の開口部を閉塞させて略リング状に形成された先端側部分の一部を内側方向に押圧して、フック体の開口部の閉塞状態を解除する。
その後、ズボンのベルト通し部を前記形成させた開口部からフック内側に引っ掛けるようにして、前記押圧操作を解除する。
すると、バネの付勢力により、押圧した部分が押し戻され、フック体の開口部分が閉塞されることにより、吊持体４がベルト通し部に係止された状態となる。
以上の操作を行うと、ゴルフボール携帯用具１は、３個のゴルフボールを収納した状態で、腰に吊るされた状態となる。
【００２３】
ゴルフ遊戯を行い、ボールを紛失したときは、図２に示したように、開口部２２を閉鎖していた蓋体３を開き、ボール収納体２の外側からボール収納部２１内の一番上に収納されているゴルフボールの下方部分を押し上げるように絞って、ゴルフボールを開口部２２から取り出し、再び、蓋体３で開口部２２を閉じる。
【００２４】
以上のような構成をしているゴルフボール携帯用具１は、ゴルフボールをポケットに収納させなくても、ゴルフボールを携帯することができ、ゴルフ遊戯中にボールを紛失したときに、速やかに新しいボールを用意することができるようになる。
さらに、ぬいぐるみキャラクターの装飾がなされているため、外観からはアクセサリーとして見ることができ、違和感なく装着することができる。
【００２５】
また、ゴルフボール携帯用具１は、ゴルフボール携帯用具１のボール収納部２１に一列状に収納されているため、ボール収納部２１にゴルフボールを３つ収納させたときでも、ボール収納体２が膨れることがなく、ゴルフ遊戯中に歩いたりスイングしたりしても邪魔になることがない。
さらに、通常は、蓋体３により開口部が閉塞されているため、不意に収納しているゴルフボールが飛び出すことがない。
【００２６】
なお、本発明にかかるゴルフボール携帯用具は、上記実施の形態に限定されない。
たとえば、ゴルフボール携帯用具１は、熊のキャラクターの装飾がなされていたが、熊以外の動物の装飾がなされていても良いし、植物や乗物など他の装飾がなされていても良い。また、色や模様などでデザイン性を出すようにするだけでも構わない。
また、ゴルフボール携帯用具１は、吊持体４がベルト通し部に係止されるようになっていたが、腰に巻いているベルトに取り付けるようにしても構わない。
【００２７】
さらに、係止部は、上述した実施の形態のように開閉自在のリング形状をしていなくても、たとえば、紐やピンなどでズボンなどに取り付けられる形態をしていても良い。
加えて、ゴルフボール携帯用具が収納できるゴルフボールの数は、三つに限らず、二つでもよいし、四つ以上でも良い。
【産業上の利用可能性】
【００２８】
本発明にかかるゴルフボール携帯用具は、以上のように構成されているので、不快な思いをせず、ゴルフボールを何処にでも携帯することができ、しかも、ゴルフ遊戯を行う際に、歩いたりスイングしたりしても邪魔にならないため、より楽しくゴルフ遊戯を楽しむことが可能となる。
【図面の簡単な説明】
【００２９】
【図１】本発明にかかるゴルフボール携帯用具を取り付けている様子を示した説明図である。
【図２】図１のゴルフボール携帯用具からボールを取り出す様子を示した説明図である。
【図３】従来のゴルフボール携帯用具を示した側面図である。
【図４】従来のゴルフボール携帯用具を示した側面図である。
【符号の説明】
【００３０】
１        ゴルフボール携帯用具
２        容器本体
３        蓋体
４        係止部
【図１】
2005103119.tif 000003
【図２】
2005103119.tif 000004
【図３】
2005103119.tif 000005
【図４】
2005103119.tif 000006